(57)【要約】【課題】予算内でのより快適な空気調和の実現を支援することを目的とする。【解決手段】設定期間における空気調和機の運転にかかる電力料金の予算額である運転予算額を取得し、取得された運転予算額を、設定期間に含まれる複数の部分期間として割当て、複数の期間に含まれる期間における空気調和機の運転にかかった実際の電力料金の額と、部分予算額と、の差分に基づいて、経過していない期間についての部分予算額を補正する。【選択図】図４
2020128860.tif 000002
【特許請求の範囲】
【請求項１】
設定期間における空気調和機の運転にかかる電力料金の予算額である運転予算額を取得する取得手段と、
前記取得手段により取得された前記運転予算額を、前記設定期間に含まれる複数の部分期間のそれぞれに対し、前記空気調和機の運転にかかる電力料金の前記部分期間における予算額である部分予算額として割当てる割当手段と、
前記複数の部分期間のうち既に経過した部分期間である経過期間において前記空気調和機の運転にかかった実際の電力料金の額と、前記割当手段により前記運転予算額が割当てられた前記経過期間の前記部分予算額と、の差分に基づいて、前記複数の部分期間のうち、経過していない部分期間の前記部分予算額を補正する第１の補正手段と、
を有する空気調和システム。
【請求項２】
前記第１の補正手段により補正された前記部分予算額を出力する出力手段を更に有する請求項１に記載の空気調和システム。
【請求項３】
前記第１の補正手段は、前記経過していない複数の部分期間それぞれの部分予算額を補正する請求項１又は２に記載の空気調和システム。
【請求項４】
前記第１の補正手段は、前記差分と、前記経過していない部分期間の長さと、に基づいて、前記経過していない部分期間の前記部分予算額を補正する請求項１乃至３の何れか１項に記載の空気調和システム。
【請求項５】
前記第１の補正手段は、前記差分と、前記経過していない部分期間の平年の気温と、に基づいて、前記経過していない部分期間の前記部分予算額を補正する請求項１乃至３の何れか１項に記載の空気調和システム。
【請求項６】
前記第１の補正手段は、前記差分と、前記経過していない部分期間に対応する過去の期間における前記空気調和機の電力料金の実績と、に基づいて、前記経過していない部分期間の前記部分予算額を補正する請求項１乃至３の何れか１項に記載の空気調和システム。
【請求項７】
前記第１の補正手段は、前記経過期間における前記空気調和機の消費電力と前記経過期間における電力単価とに基づいて、前記経過期間における前記空気調和機の運転にかかった実際の電力料金の額を求め、求めた額と、前記割当手段により前記運転予算額が割当てられた前記経過期間の前記部分予算額と、の差分に基づいて、前記経過していない部分期間の前記部分予算額を補正する請求項１乃至６の何れか１項に記載の空気調和システム。
【請求項８】
前記第１の補正手段により補正された前記部分予算額に基づいて、前記空気調和機の運転を制御する制御手段を更に有する請求項１乃至７の何れか１項に記載の空気調和システム。
【請求項９】
前記制御手段は、前記複数の期間のそれぞれの期間において、前記期間についての前記部分予算額に基づいて、前記期間に含まれる一部の期間の前記空気調和機の電力料金の目標額を決定し、決定した前記目標額と、前記一部の期間の前記空気調和機の消費電力の電力料金と、の差分に基づいて、前記一部の期間の経過の後に前記空気調和機の設定温度を更新することで、前記空気調和機の運転を制御する請求項８に記載の空気調和システム。
【請求項１０】
前記制御手段は、前記複数の期間のそれぞれの期間において、前記期間についての前記部分予算額と、前記期間について指定された前記空気調和機の設定温度の上限値と下限値とのうちの少なくとも１つと、に基づいて、前記空気調和機の運転を制御する請求項８又は９に記載の空気調和システム。
【請求項１１】
ユーザ操作に応じて前記部分予算額を補正する第２の補正手段を更に有する請求項１乃至１０の何れか１項に記載の空気調和システム。
【請求項１２】
設定期間における空気調和機の運転にかかる電力料金の予算額である運転予算額を取得する取得手段と、
前記取得手段により取得された前記運転予算額を、前記設定期間に含まれる複数の部分期間のそれぞれに対し、前記空気調和機の運転にかかる電力料金の前記部分期間における予算額である部分予算額として割当てる割当手段と、
前記複数の部分期間のうち既に経過した部分期間である経過期間において前記空気調和機の運転にかかった実際の電力料金の額と、前記割当手段により前記運転予算額が割当てられた前記経過期間の前記部分予算額と、の差分に基づいて、前記複数の部分期間のうち、経過していない部分期間の前記部分予算額を補正する補正手段と、
を有する情報処理装置。
【請求項１３】
空気調和システムが実行する情報処理方法であって、
設定期間における空気調和機の運転にかかる電力料金の予算額である運転予算額を取得する取得ステップと、
前記取得ステップで取得された前記運転予算額を、前記設定期間に含まれる複数の部分期間のそれぞれに対し、前記空気調和機の運転にかかる電力料金の前記部分期間における予算額である部分予算額として割当てる割当ステップと、
前記複数の部分期間のうち既に経過した部分期間である経過期間において前記空気調和機の運転にかかった実際の電力料金の額と、前記割当ステップで前記運転予算額が割当てられた前記経過期間の前記部分予算額と、の差分に基づいて、前記複数の部分期間のうち、経過していない部分期間の前記部分予算額を補正する補正ステップと、
を含む情報処理方法。
【請求項１４】
情報処理装置が実行する情報処理方法であって、
設定期間における空気調和機の運転にかかる電力料金の予算額である運転予算額を取得する取得ステップと、
前記取得ステップで取得された前記運転予算額を、前記設定期間に含まれる複数の部分期間のそれぞれに対し、前記空気調和機の運転にかかる電力料金の前記部分期間における予算額である部分予算額として割当てる割当ステップと、
前記複数の部分期間のうち既に経過した部分期間である経過期間において前記空気調和機の運転にかかった実際の電力料金の額と、前記割当ステップで前記運転予算額が割当てられた前記経過期間の前記部分予算額と、の差分に基づいて、前記複数の部分期間のうち、経過していない部分期間の前記部分予算額を補正する補正ステップと、
を含む情報処理方法。
【請求項１５】
コンピュータを、請求項１２に記載の情報処理装置の各手段として、機能させるためのプログラム。
【発明の詳細な説明】
【技術分野】
【０００１】
本発明は、空気調和システム、情報処理装置、情報処理方法及びプログラムに関する。
【背景技術】
【０００２】
設定された電気料金の予算額に応じて、空気調和機を運転する空調システムがある。特許文献１には、期間予算と日分配率とから各日当たりの日予算を演算し、日予算及び設定温度比率から単位時間当たりの単位時間予算を演算し、演算した単位時間予算に相当する電力で空気調和機を運転するように指令を出す空気調和システムが開示されている。
【先行技術文献】
【特許文献】
【０００３】
【特許文献１】特開平６−１９３９３８号公報
【発明の概要】
【発明が解決しようとする課題】
【０００４】
従来技術では、期間ごとに予め予算を設定し、期間ごとに設定した予算に基づいて空気調和機が運転される。しかしながら、期間によって外気温度や空調負荷の変化は異なるために、予め設定された予算が適正とは限らない。これに対し、従来の空調システムにおいては、外気温度や空調負荷の変化といった点が考慮されていない。そのため、従来の空調システムでは、一部の期間について予算が過度に少なくなり、その期間について過度に快適性が損なわれ、快適な空気調和が実現できない場合がある。
【０００５】
本発明は、予算内でのより快適な空気調和の実現を支援することを目的とする。
【課題を解決するための手段】
【０００６】
本発明の空気調和システムは、設定期間における空気調和機の運転にかかる電力料金の予算額である運転予算額を取得する取得手段と、前記取得手段により取得された前記運転予算額を、前記設定期間に含まれる複数の部分期間のそれぞれに対し、前記空気調和機の運転にかかる電力料金の前記部分期間における予算額である部分予算額として割当てる割当手段と、前記複数の部分期間のうち既に経過した部分期間である経過期間において前記空気調和機の運転にかかった実際の電力料金の額と、前記割当手段により前記運転予算額が割当てられた前記経過期間の前記部分予算額と、の差分に基づいて、前記複数の部分期間のうち、経過していない部分期間の前記部分予算額を補正する第１の補正手段と、を有する。
【発明の効果】
【０００７】
本発明によれば、予算内でのより快適な空気調和の実現を支援することができる。
【図面の簡単な説明】
【０００８】
【図１】図１は、空気調和システムの一例を示す図である。
【図２】図２は、制御装置のハードウェア構成の一例を示す図である。
【図３】図３は、制御装置の機能構成の一例を示す図である。
【図４】図４は、空気調和システムの処理の一例を示すフローチャートである。
【発明を実施するための形態】
【０００９】
以下に、本発明の好ましい実施の形態を、図面に基づいて詳細に説明する。
【００１０】
＜実施形態１＞
本実施形態における空気調和システム１００は、指定された予算額に応じて空気調和機１１０の運転を制御する。
【００１１】
図１は、空気調和システム１００のシステム構成の一例を示す図である。空気調和システム１００は、空気調和機１１０、制御装置１２０、電力量計１３０を含む。空気調和機１１０は、室内機１１１、リモコン１１２、室内機１１３、リモコン１１４、室外機１１５を含む空気調和機である。室内機１１１、室内機１１３、室外機１１５それぞれは、ＬＡＮ等のネットワークを介して、制御装置１２０と相互に通信可能に接続されている。
【００１２】
室内機１１１と室内機１１３とは、別の部屋に設置されており、設置された部屋における空気調和に用いられる。室内機１１１と室内機１１３と室外機１１５とは、冷媒が循環される管路で接続されて閉回路を構成している。リモコン１１２とリモコン１１４とは、それぞれ室内機１１１と室内機１１３とに対して、運転の開始、停止、設定温度の変更等の指示に用いられる。本実施形態では、空気調和機１１０は、図１に示すように、２つの室内機に対して、１つの室外機を有するものとする。
【００１３】
制御装置１２０は、空気調和機１１０の運転を制御する情報処理装置である。本実施形態では、制御装置１２０は、パーソナルコンピュータであるとする。ただし、他の例として、制御装置１２０は、サーバ装置、他のデバイスに組み込まれたコンピュータ等であってもよい。
【００１４】
電力量計１３０は、室内機１１１、室内機１１３、室外機１１５それぞれについて消費電力を計測する。本実施形態では、電力量計１３０は、制御装置１２０とネットワークを介して接続された制御装置１２０と通信可能なスマートメータであるとする。電力量計１３０は、電源と、室内機１１１、室内機１１３、室外機１１５それぞれと、を繋ぐ電力線それぞれに配線されている。電力量計１３０は、室内機１１１、室内機１１３、室外機１１５それぞれと繋がった電力線から計測した信号から室内機１１１、室内機１１３、室外機１１５それぞれについての消費電力を計測する。電力量計１３０は、計測した消費電力の情報を、制御装置１２０に送信する。
【００１５】
図２は、制御装置１２０のハードウェア構成の一例を示す図である。制御装置１２０は、Ｃｅｎｔｒａｌ  Ｐｒｏｃｅｓｓ  Ｕｎｉｔ（ＣＰＵ）２１０、主記憶装置２２０、補助記憶装置２３０、入力装置２４０、出力装置２５０、ネットワークＩ／Ｆ２６０を含む。各要素は、システムバス２７０を介して相互に通信可能に接続されている。
【００１６】
ＣＰＵ２１０は、制御装置１２０を制御する中央演算装置である。主記憶装置２２０は、ＣＰＵ２１０のワークエリア、データの一時的な記憶領域として機能するＲａｎｄｏｍ  Ａｃｃｅｓｓ  Ｍｅｍｏｒｙ（ＲＡＭ）等の記憶装置獲である。補助記憶装置２３０は、各種プログラム、各種設定情報、電力の単価の情報等を記憶する記憶装置である。補助記憶装置２３０は、Ｒｅａｄ  Ｏｎｌｙ  Ｍｅｍｏｒｙ（ＲＯＭ）、ハードディスクドライブ（ＨＤＤ）、ソリッドステートドライブ（ＳＳＤ）等である。
【００１７】
入力装置２４０は、制御装置１２０への情報の入力に用いられる入力装置であり、マウス、キーボード、専用のコントローラ、タッチパッド、タッチパネル等である。出力装置２５０は、制御装置１２０からの情報の出力に用いられる出力装置であり、モニタ、タッチパネルの表示部、スピーカ等である。ネットワークＩ／Ｆ２６０は、室内機１１１、室内機１１３、室外機１１５、電力量計１３０等の外部の装置との間でのネットワークを介した通信に用いられるインターフェースである。
【００１８】
ＣＰＵ２１０が補助記憶装置２３０に記憶されたプログラムにしたがって処理を実行することで、図３で後述する制御装置の機能、図４で後述するフローチャートの処理等が実現される。
【００１９】
図３は、制御装置１２０の機能構成の一例を示す図である。本実施形態の空気調和機１１０は、例えば１カ月といった期間における予算額が設定されている。制御装置１２０は、空気調和機１１０が予算に応じた運転を行うよう制御する。以下では、予算額が設定された期間を設定期間とする。
【００２０】
制御装置１２０は、このような制御を行うための機能として、取得部３１０、割当部３２０、運転制御部３３０、補正部３４０、出力部３５０を含む。取得部３１０は、設定期間に対応した、空気調和機１１０の運転に係る電力料金の予算額を取得する。割当部３２０は、設定期間を複数の部分期間に分割し、各部分期間に対して、設定期間の予算額を分配する。以下では、各部分期間に割当てられた予算額を、部分予算額とする。また、設定期間に割当てられた予算額を、部分予算額と区別すべく、運転予算額とする。運転制御部３３０は、各部分期間において、対応する部分予算額に基づいて、空気調和機１１０の運転を制御する。
【００２１】
補正部３４０は、部分期間における空気調和機１１０の運転が終了した際に、この部分期間に割当てられた部分予算額と、この部分期間における空気調和機１１０の運転に実際にかかった電力料金と、の差分に基づいて、以降の部分期間の部分予算額を補正する。出力部３５０は、補正部３４０により補正された部分予算額等の情報を出力する。
【００２２】
図４を用いて、本実施形態の空気調和システム１００の処理を説明する。Ｓ４０１において、取得部３１０は、ユーザによる入力装置２４０を介した操作に基づいて、設定期間における空気調和機１１０の運転に係る電力料金の予算額（運転予算額）を取得する。本実施形態では、設定期間は、例えば、１カ月等の予め定められた期間である。取得部３１０は、この期間に対する予算額を取得することとする。ただし、他の例として、取得部３１０は、ユーザによる入力装置２４０を介した操作に基づいて、設定期間を取得してもよい。すなわちこの場合には、取得部３１０は、ユーザによる入力装置２４０を介した操作に基づいて、設定期間と、設定期間に対応した運転予算額を取得する。
【００２３】
Ｓ４０２において、割当部３２０は、設定期間を複数の部分期間に分割する。割当部３２０は、予め定められた幅で、等間隔に設定期間を分割する。本実施形態では、割当部３２０は、１カ月の設定期間を１日の部分期間に分割するものとする。以下では、部分期間における空気調和機１１０の運転に係る電力料金の予算額を、部分予算額とする。
【００２４】
さらに、割当部３２０は、Ｓ４０１で取得された運転予算額を、設定期間に含まれる複数の部分期間それぞれに割当てる。本実施形態では、割当部３２０は、運転予算額を、均等に、複数の部分期間に部分予算額として割当てる。
【００２５】
Ｓ４０３において、運転制御部３３０は、部分期間の識別用のインデックスｉを１に初期化し、主記憶装置２２０に記憶する。Ｓ４０４において、運転制御部３３０は、ｉ番目の部分期間が開始しているか否かを判定する。運転制御部３３０は、ｉ番目の部分期間が開始していると判定した場合、処理をＳ４０５に進め、ｉ番目の部分期間が開始していないと判定した場合、処理をＳ４０４に進める。
【００２６】
Ｓ４０５において、運転制御部３３０は、設定に応じて、空気調和機１１０に対して、冷房運転、暖房運転のうちの何れかの運転を指示し、設定温度を設定された初期値に設定するように指示する。本実施形態では、空気調和システム１００は、室内機１１１と室内機１１３とについて、同じ設定温度を設定することとする。Ｓ４０６において、運転制御部３３０は、ｉ番目の部分期間が完了したか否かを判定する。運転制御部３３０は、ｉ番目の部分期間が完了したと判定した場合、処理をＳ４１０に進め、完了していないと判定した場合、処理をＳ４０７に進める。Ｓ４０６で経過したと判定されたｉ番目の部分期間は、経過期間の一例である。
【００２７】
Ｓ４０７において、運転制御部３３０は、ｉ番目の部分期間の開始時刻、又は、直前のＳ４０７の処理で一定期間が経過したと判定した時刻の何れかから、一定期間が経過したか否かを判定する。この一定期間は、部分期間に比べて短い期間であり、例えば、３０分、１時間等である。運転制御部３３０は、一定期間経過したと判定した場合、処理をＳ４０８に進め、経過していないと判定した場合、処理をＳ４０６に進める。
【００２８】
Ｓ４０８において、運転制御部３３０は、Ｓ４０７で経過したと判定された一定期間に空気調和機１１０の運転により消費された電力の料金を見積もる。ここで、本処理について詳述する。まず前提として、運転制御部３３０は、定期的に電力量計１３０から、室内機１１１と室内機１１３と室外機１１５とが消費した電力量の計測値を取得しているものとする。また、運転制御部３３０は、室内機１１１と室内機１１３と室外機１１５とが消費した電力量を、空気調和機１１０の消費した電力量として取得する。さらに、運転制御部３３０は、計測値と計測時刻とを対応付けて計測履歴として、補助記憶装置２３０等の記憶部に蓄積しておく。そして、Ｓ４０８において、運転制御部３３０は、計測履歴に基づいて、Ｓ４０７で経過したと判定された一定期間に空気調和機１１０が消費した電力量を特定する。そして、運転制御部３３０は、一定期間の消費電力量に、ｉ番目の部分期間における単位電力量当たりの料金（以下では、電力単価とする）を乗ずることで、Ｓ４０７で経過したと判定された一定期間に空気調和機１１０の運転により消費された電力の料金を見積もる。
【００２９】
ここで、電力単価は、時間帯に応じて異なっており、各部分期間における電力単価の情報は、予め補助記憶装置２３０に記憶されているとする。ただし、他の例として、制御装置１２０は、ユーザによる入力装置２４０を介した操作に基づいて、各部分期間における電力単価を取得して、用いることとしてもよい。
【００３０】
Ｓ４０９において、運転制御部３３０は、ｉ番目の部分期間に対応する部分予算額に基づいて、Ｓ４０７で経過したと判定した一定期間に空気調和機１１０の運転に係る電力料金の目標額を決定する。運転制御部３３０は、この一定期間の長さの、ｉ番目の部分期間の長さに対する割合に、部分期間に対応する部分予算額を乗じることで、この目標額を決定する。
【００３１】
ただし、他の例として、運転制御部３３０は、ｉ番目の部分期間において、電力単価が異なる期間が存在する場合を考慮して、以下のようにしてもよい。即ち、運転制御部３３０は、以下の式１を用いて、電力料金の目標額を決定してもよい。
【００３２】
目標額＝Ｂ×（Ａ×Ｐ）／（Σj（ａj×ｐj））          （式１）
【００３３】
式１のＰは、Ｓ４０７で経過したと判定された一定期間の長さである。また、Ａは、この一定期間における電力単価である。また、Ｂは、ｉ番目の部分期間に対応する部分予算額である。ｐは、ｉ番目の部分期間に含まれる各期間の長さであり、ｊは、期間を示すインデックスである。ａは、ｉ番目の部分期間に含まれる各期間における電力単価である。
【００３４】
Ｓ４１０において、運転制御部３３０は、Ｓ４０８で特定した電力料金と、Ｓ４０９で決定した目標額と、の差分に基づいて、空気調和機１１０の設定温度を更新する。
【００３５】
運転制御部３３０は、Ｓ４０９で決定した目標額からＳ４０８で特定した電力料金を引いた値が予め定められた閾値（例えば、０、−１００等）未満である場合、以下の処理を行う。即ち、運転制御部３３０は、実際の電力消費が目標よりも高いとして、電力消費が少なくなるように、空気調和機１１０の設定温度を例えば１℃など所定温度だけ変更する。以下では、この閾値を閾値Ｘとする。空気調和機１１０が冷房運転である場合、運転制御部３３０は、予め定められた値だけ設定温度を高くするよう空気調和機１１０に指示する。また、空気調和機１１０が暖房運転である場合、運転制御部３３０は、予め定められた値だけ設定温度を低くするよう空気調和機１１０に指示する。
【００３６】
また、運転制御部３３０は、Ｓ４０９で決定した目標額からＳ４０８で特定した電力料金を引いた値が予め定められた閾値（例えば、０、１００等）よりも大きい場合、以下の処理を行う。即ち、運転制御部３３０は、実際の電力消費が目標よりも低いとして、電力消費を多くするように、空気調和機１１０の設定温度を所定温度だけ変更する。以下では、この閾値を、閾値Ｙとする。空気調和機１１０が冷房運転である場合、運転制御部３３０は、予め定められた値だけ設定温度を低くするよう空気調和機１１０に指示する。また、空気調和機１１０が暖房運転である場合、運転制御部３３０は、予め定められた値だけ設定温度を高くするよう空気調和機１１０に指示する。
【００３７】
また、本実施形態では、各部分期間について、空気調和機１１０の設定温度の上限値と下限値とが、予め定められている。運転制御部３３０は、更新後の設定温度が上限値以上となる場合、空気調和機１１０に対して、設定温度を上限値の温度にするよう指示する。また、運転制御部３３０は、更新後の設定温度が下限値以下となる場合、空気調和機１１０に対して、設定温度を下限値の温度にするよう指示する。
【００３８】
また、運転制御部３３０は、Ｓ４０９で決定した目標額からＳ４０８で特定した電力料金を引いた値が閾値Ｂ以下であり、且つ、閾値Ａ以上である場合、空気調和機１１０の設定温度を変更しない。
【００３９】
本実施形態では、各部分期間についての設定温度の上限値と下限値とは、予め定められていることとした。ただし、他の例として、制御装置１２０は、ユーザによる入力装置２４０を介した操作に基づいて、この上限値と下限値との情報を取得してもよい。
【００４０】
Ｓ４１１において、運転制御部３３０は、設定期間が完了したか否かを判定する。運転制御部３３０は、設定期間が完了したと判定した場合、図４の処理を終了し、完了していないと判定した場合、処理をＳ４１２に進める。
【００４１】
Ｓ４１２において、運転制御部３３０は、ｉ番目の部分期間において、実際に空気調和機１１０の運転により消費された電力量を特定する。より具体的には、運転制御部３３０は、計測履歴に基づいて、ｉ番目の部分期間における各一定期間に空気調和機１１０が消費した電力量を特定する。そして、運転制御部３３０は、取得した電力量と、各一定期間における電力単価と、から、ｉ番目の部分期間における空気調和機１１０の運転に係る電力料金を見積もる。また、他の例として、運転制御部３３０は、他の方法でｉ番目の部分期間における空気調和機１１０の運転に係る電力料金を見積もることとしてもよい。例えば、運転制御部３３０は、ｉ番目の部分期間内においてＳ４０８で特定した電力料金を合計することで、ｉ番目の部分期間における空気調和機１１０の運転に係る電力料金を見積もることとしてもよい。
【００４２】
Ｓ４１３において、補正部３４０は、Ｓ４１２で特定された電力料金と、ｉ番目の部分期間に対応する部分予算額と、の差分に基づいて、ｉ＋１番目以降の部分期間それぞれについての部分予算額を補正する。
【００４３】
補正部３４０は、この部分予算額からＳ４１２で特定された電力料金を引いた値を、ｉ＋１番目以降の部分期間それぞれについて割当てる。以下では、ｉ番目の部分期間に対応する部分予算額からＳ４１２で特定された電力料金を引いた値を、余剰額とする。本実施形態では、補正部３４０は、余剰額を、ｉ＋１番目以降の部分期間それぞれについて均等に割当て、割当てた値を現在の部分予算額にそれぞれ加える。
【００４４】
余剰額が０以上である場合、ｉ＋１番目以降の部分期間それぞれについて割当てられる値は、０以上となり、各部分予算額は元の値以上となる。余剰額が０未満である場合、ｉ＋１番目以降の部分期間それぞれについて割当てられる値は、マイナスの値となり、各部分予算額は元の値よりも小さくなる。
【００４５】
Ｓ４１４において、出力部３５０は、補正部３４０により補正されたｉ＋１番目以降の部分期間それぞれについての部分予算額の情報を、出力装置２５０である表示装置に表示することで出力する。これにより、ユーザは、補正後の部分予算額を確認することができるようになる。
【００４６】
Ｓ４１５において、運転制御部３３０は、ｉの値に１を加えて、ｉの値を更新する。そして、運転制御部３３０は、処理をＳ４０４に進める。
【００４７】
以上、本実施形態の空気調和システム１００は、設定期間に含まれる部分期間における空気調和機１１０の運転にかかった実際の電力料金と、この部分期間についての部分予算額と、の差分に基づいて、以降の部分期間それぞれの部分予算額を補正することとした。これにより、空気調和システム１００は、ある部分期間についての部分予算額が余った場合に、以降の部分期間にその余った分を割当てることで、以降の部分期間について、補正された部分予算額に基づいて、より快適な空気調和を実現できる。また、空気調和システム１００は、ある部分期間についての部分予算額が不足した場合に、以降の部分期間から、不足分を差し引くことで、運転予算額を超えないようにすることができる。このように、空気調和システム１００は、予算内でのより快適な空気調和の実現を支援することができる。
【００４８】
（変形例１）
本実施形態では、空気調和システム１００は、設定された設定温度の上限値と下限値とに基づいて、空気調和機１１０の設定温度を制御することとした。ただし、他の例として、空気調和システム１００は、設定された設定温度の上限値と下限値とのうちの一方のみに基づいて、空気調和機１１０の設定温度を制御してもよい。
【００４９】
例えば、空気調和システム１００は、設定された設定温度の上限値のみを用いて、空気調和機１１０の設定温度を、上限値を超えないように制御するが、下限値を下回らないようには制御しないこととしてもよい。また、空気調和システム１００は、設定された設定温度の下限値のみを用いて、空気調和機１１０の設定温度を、下限値を下回らないように制御するが、上限値を超えないようには制御しないこととしてもよい。
【００５０】
（変形例２）
本実施形態では、空気調和システム１００は、室内機１１１と室内機１１３とに対して、同じ設定温度を設定することとした。ただし、他の例として、空気調和システム１００は、室内機１１１と室内機１１３とに対して、別の設定温度を設定することとしてもよい。例えば、空気調和システム１００は、運転制御部３３０は、Ｓ４０５で、空気調和機１１０に対して、室内機１１１、室内機１１３それぞれについて予め定められた設定温度の初期値を設定するよう指示してもよい。
【００５１】
また、室内機１１１、室内機１１３それぞれについて、設定温度の上限値と下限値とが設定されている場合、運転制御部３３０は、以下のようにしてもよい。即ち、運転制御部３３０は、室内機１１１、室内機１１３それぞれについて、それぞれの上限値と下限値との平均の温度を初期値として設定するよう、空気調和機１１０に指示してもよい。また、運転制御部３３０は、Ｓ４１０で、室内機１１１、室内機１１３それぞれについての設定温度を、それぞれの上限値以下、下限値以上にするよう制御してもよい。
【００５２】
（変形例３）
本実施形態では、運転制御部３３０は、Ｓ４１０では、空気調和機１１０の設定温度を予め定められた値だけ変更することとした。ただし、他の例として、運転制御部３３０は、Ｓ４０９で決定した目標額からＳ４０８で特定した電力料金を引いた値の絶対値に応じて、設定温度の変更量を求め、この変更量だけ設定温度を変更してもよい。例えば、運転制御部３３０は、予め定められた係数にＳ４０９で決定した目標額からＳ４０８で特定した電力料金を引いた値の絶対値を乗じた値を、設定温度の変更量として決定してもよい。この場合、運転制御部３３０は、決定した変更量だけ設定値を変更するよう空気調和機１１０に指示する。
【００５３】
（変形例４）
本実施形態では、割当部３２０は、等間隔に設定期間を分割することで、設定期間を複数の部分期間に分割することとした。ただし、すべての部分期間が同一期間である必要はない。例えば、割当部３２０は、予め定められた割合で設定期間を分割することとしてもよい。また、割当部３２０は、ユーザによる入力装置２４０を介した操作に基づいて指定された複数の間隔で設定期間を分割してもよい。
【００５４】
（変形例５）
本実施形態では、割当部３２０は、Ｓ４０２で、運転予算額を、均等に複数の部分期間それぞれについての部分予算額に割当てることとした。ただし、他の例として、割当部３２０は、Ｓ４０２で、運転予算額を、他の方法で割当てることとしてもよい。例えば、複数の部分期間それぞれについての部分予算額の配分の割合が予め定められている場合、割当部３２０は、その割合にしたがって、運転予算額を複数の部分期間それぞれに割当てることとしてもよい。
【００５５】
また、割当部３２０は、平年の設定期間の気温データに基づいて、複数の部分期間それぞれについての予算額の配分の割合を決定し、決定した割合で、運転予算額を割当ててもよい。例えば、割当部３２０は、平年の設定期間の気温データから、平年の複数の部分期間それぞれの気温を特定し、特定した複数の部分期間それぞれの気温に基づいて、配分の割合を決定する。割当部３２０は、空気調和機１１０が冷房運転される場合、部分期間の気温が高い程、その部分期間についての予算額の配分の割合を高くする。また、割当部３２０は、空気調和機１１０が暖房運転される場合、部分期間の気温が高い程、その部分期間についての予算額の配分の割合を低くする。
【００５６】
また、割当部３２０は、過去の電力料金の実績から、複数の部分期間それぞれについての予算額の配分の割合を決定し、決定した割合で、運転予算額を割当ててもよい。例えば、割当部３２０は、１年前の設定期間における複数の部分期間それぞれにおける電力料金に基づいて、複数の部分期間それぞれについての予算額の配分の割合を決定してもよい。
【００５７】
また、変形例４において説明したように、複数の部分期間の長さが均等でない場合には、割当部３２０は、Ｓ４０２で、部分期間の長さに応じた割合で、運転予算額を複数の部分期間それぞれについての部分予算額に割当てることとしてもよい。例えば、２日間である部分期間と、１日間である部分期間と、があるとする。その場合、割当部３２０は、２日間である部分期間についての割当て量を、１日間である部分期間についての割当て量の２倍になるように割当ててもよい。
【００５８】
（変形例６）
本実施形態では、補正部３４０は、Ｓ４１３で、余剰額を、ｉ＋１番目以降の部分期間それぞれについて均等に割当てることとした。ただし、他の例として、補正部３４０は、Ｓ４１３で、余剰額を、ｉ＋１番目以降の部分期間それぞれに、異なる方法で割当ててもよい。
【００５９】
例えば、補正部３４０は、部分期間の長さに応じた割合で、余剰額を、ｉ＋１番目以降の部分期間それぞれについての部分予算額に割当てることとしてもよい。例えば、２日間である部分期間と、１日間である部分期間と、があるとする。その場合、補正部３４０は、２日間である部分期間の部分予算額に割当て量を、１日間である部分期間の部分予算額に割当て量の２倍になるように、余剰額を割当てることとなる。
【００６０】
また、補正部３４０は、処理時点におけるｉ＋１番目以降の部分期間それぞれの部分予算額に応じた割合で、余剰額を、ｉ＋１番目以降の部分期間それぞれについての部分予算額として割当てることとしてもよい。例えば、Ｓ４１３の処理時点において、部分予算額が２０００円の部分期間と、部分予算額が１０００円の部分期間と、があるとする。その場合、補正部３４０は、部分予算額が２０００円の部分期間の部分予算額として割当てる量を、部分予算額が１０００円の部分期間の部分予算額として割当てる量の２倍になるように、余剰額を割当てることとなる。
【００６１】
また、複数の部分期間それぞれについての余剰額の配分の割合が予め定められていてもよい。この場合、補正部３４０は、その割合にしたがって、ｉ＋１番目以降の部分期間それぞれについての部分予算額に割当てることとしてもよい。
【００６２】
また、補正部３４０は、平年の設定期間の気温データに基づいて、複数の部分期間それぞれについての余剰額の配分の割合を決定し、決定した割合で、余剰額を割当ててもよい。例えば、補正部３４０は、平年の設定期間の気温データから、平年のｉ＋１番目以降の部分期間それぞれの気温を特定し、特定した部分期間それぞれの気温に基づいて、配分の割合を決定する。補正部３４０は、空気調和機１１０が冷房運転される場合、部分期間の気温が高い程、その部分期間についての余剰額の配分の割合を高くする。また、補正部３４０は、空気調和機１１０が暖房運転される場合、部分期間の気温が高い程、その部分期間についての余剰額の配分の割合を低くする。
【００６３】
また、補正部３４０は、過去の電力料金の実績から、ｉ＋１番目以降の部分期間それぞれについての余剰額の配分の割合を決定し、決定した割合で、余剰額を割当ててもよい。例えば、補正部３４０は、１年前の設定期間におけるｉ＋１番目以降の部分期間それぞれにおける電力料金に基づいて、ｉ＋１番目以降の部分期間それぞれについての余剰額の配分の割合を決定してもよい。
【００６４】
また、補正部３４０は、ｉ＋１番目以降の部分期間のうちの一部の部分期間について、余剰額の割当て量を０とすることとしてもよい。即ち、補正部３４０は、余剰額をｉ＋１番目以降の部分期間のうちの一部の部分期間についてのみ割当てることとしてもよい。
【００６５】
（変形例７）
本実施形態では、空気調和システム１００は、運転予算額に基づいて、設定期間における空気調和機１１０の全体の運転を制御することとした。ただし、他の例として、空気調和システム１００は、空気調和機１１０の室内機ごとの運転を制御することとしてもよい。それにより、空気調和システム１００は、室内機が設置されている場所（例えば、部屋等）ごとに、予算内でのより快適な空気調和を実現できる。
【００６６】
例えば、空気調和システム１００は、運転予算額に基づいて、設定期間における室内機１１１を介した空気調和に係る運転を制御することとしてもよい。その場合の制御装置１２０の処理の一例について図４を用いて説明する。
【００６７】
Ｓ４０１〜Ｓ４０４、Ｓ４０６〜Ｓ４０７、Ｓ４１１、Ｓ４１３、Ｓ４１４の処理それぞれは、前述した処理と同様である。ただし、運転予算額は、空気調和機１１０の全体の運転の予算額ではなく、空気調和機１１０全体の運転のうち室内機１１１に係る運転の予算額となる。
【００６８】
また、運転制御部３３０は、定期的に電力量計１３０から、室内機１１１と室内機１１３と室外機１１５とのそれぞれが消費した電力量の計測値を取得する。そして、運転制御部３３０は、計測値と計測時刻とを対応付けて計測履歴として、補助記憶装置２３０等の記憶部に蓄積することとする。
【００６９】
Ｓ４０５において、運転制御部３３０は、空気調和機１１０に対して、室内機１１１について冷房運転、暖房運転のうちの何れかの運転をするよう指示し、室内機１１１について設定温度を初期値に設定するように指示する。
【００７０】
Ｓ４０８において、運転制御部３３０は、Ｓ４０７で経過したと判定された一定期間に室内機１１１に係る運転において消費された電力の料金を見積もる。より具体的には、運転制御部３３０は、計測履歴に基づいて、Ｓ４０７で経過したと判定された一定期間に室内機１１１、室内機１１３、室外機１１５が消費した電力量それぞれを特定する。運転制御部３３０は、室外機１１５が消費した電力量のうち、室内機１１１に係る運転によって消費された電力量を特定する。運転制御部３３０は、（室外機１１５が消費した電力量）×（室内機１１１が消費した電力量）／（室内機１１１が消費した電力量＋室内機１１３が消費した電力量）の式を用いて、室内機１１１に係る運転によって室外機１１５で消費された電力量を特定する。
【００７１】
そして、運転制御部３３０は、室内機１１１に係る運転によって室外機１１５で消費された電力量と、室内機１１１の消費した電力量と、の和を、その一定期間において室内機１１１に係る運転において消費された電力として取得する。運転制御部３３０は、取得した電力とその一定期間における電力単価との積を、その一定期間に室内機１１１に係る運転において消費された電力の料金として特定する。
【００７２】
Ｓ４０９において、運転制御部３３０は、ｉ番目の部分期間に対応する部分予算額に基づいて、Ｓ４０７で経過したと判定した一定期間に室内機１１１に係る運転の電力料金の目標額を決定する。Ｓ４１０において、運転制御部３３０は、Ｓ４０８で特定した電力料金と、Ｓ４０９で決定した目標額と、の差分に基づいて、室内機１１１の設定温度を更新する。
【００７３】
Ｓ４１２において、運転制御部３３０は、ｉ番目の部分期間において、室内機１１１に係る運転において実際に消費された電力量を取得する。より具体的には、運転制御部３３０は、計測履歴に基づいて、ｉ番目の部分期間に室内機１１１、室内機１１３、室外機１１５が消費した電力量それぞれを特定する。運転制御部３３０は、室外機１１５が消費した電力量のうち、室内機１１１に係る運転によって消費された電力量を特定する。運転制御部３３０は、（室外機１１５が消費した電力量）×（室内機１１１が消費した電力量）／（室内機１１１が消費した電力量＋室内機１１３が消費した電力量）の式を用いて、室内機１１１に係る運転によって室外機１１５で消費された電力量を特定する。
【００７４】
そして、運転制御部３３０は、室内機１１１に係る運転によって室外機１１５で消費された電力量と、室内機１１１の消費した電力量と、の和を、ｉ番目の部分期間において室内機１１１に係る運転において消費された電力として取得する。運転制御部３３０は、取得した電力とそのｉ番目の部分期間における電力単価との積を、その一定期間に室内機１１１に係る運転において消費された電力の料金として特定する。
【００７５】
（変形例８）
本実施形態では、補正部３４０は、Ｓ４１３で、余剰額がどのような値であっても、ｉ＋１番目以降の部分期間それぞれについて割当てることとした。ただし、他の例として、補正部３４０は、Ｓ４１３で、余剰額が０以上である場合には、余剰額の割当てを行わずに、余剰額が０未満である場合のみ、余剰額の割当てを行うこととしてもよい。これにより、空気調和システム１００は、予算をより節約することができる。
【００７６】
（変形例９）
本実施形態では、制御装置１２０は、入力装置２４０を介した入力に基づいて、各種の情報（運転予算額等）を取得することとした。ただし、他の例として、制御装置１２０は、リモコン１１２又はリモコン１１４を介した入力に基づいて、各種の情報を取得することとしてもよい。その場合、室内機１１１又は室内機１１３は、リモコン１１２又はリモコン１１４を介して入力された情報を、制御装置１２０に送信する。
【００７７】
（変形例１０）
本実施形態では、出力部３５０は、補正部３４０により補正されたｉ＋１番目以降の部分期間それぞれについての部分予算額の情報を、出力装置２５０である表示装置に表示することで出力することとした。ユーザがこの出力された情報を確認し、補正後の部分予算額を更に補正したいと要望する場合がある。そこで、補正部３４０は、出力部３５０による補正された部分予算額の情報の表示の後で、以下のような処理を行うこととしてもよい。
【００７８】
即ち、補正部３４０は、入力装置２４０を介したユーザ操作に基づいて、ある部分期間について、部分予算額の補正値の指定を受付け、その部分期間の部分予算額を、受け付けた補正値に補正することとしてもよい。また、補正部３４０は、入力装置２４０を介したユーザ操作に基づいて、ある部分期間について、部分予算額の補正値の変更量を受付け、その部分期間の部分予算額を、受け付けた変更量だけ補正することとしてもよい。これにより、空気調和システム１００は、より柔軟な空気調和機１１０の制御を実現できる。
【００７９】
（変形例１１）
本実施形態では、制御装置１２０が、図４の処理を実行することとした。ただし、他の例として、室外機１１５に含まれるプロセッサが図４の処理と同様の処理を実行することとしてもよい。その場合、室外機１１５のプロセッサは、各種情報をリモコンと室内機とを介して取得する。例えば、室外機１１５のプロセッサは、Ｓ４０１で運転予算額を以下のようにして取得する。室内機１１１又は室内機１１３は、リモコン１１２又は１１４を介してユーザから指定された設定期間の空気調和機１１０の運転に係る運転予算額の情報を受付ける。そして、室内機１１１又は室内機１１３は、受け付けた運転予算額の情報を、室外機１１５に送信する。室外機１１５のプロセッサは、このようにして運転予算額の情報を取得する。
【００８０】
このようにすることで、空気調和システム１００は、例えば家庭用エアコン等のように制御装置１２０がない場合についても、本実施形態の処理を適用できる。
【００８１】
（変形例１２）
本実施形態では、空気調和機１１０は、図１に示すように、２つの室内機に対して、１つの室外機を有する空気調和機であるとした。ただし、他の例として、空気調和機１１０は、１つの室内機に対して、１つの室外機を有する空気調和機であるとしてもよいし、３つ以上の室内機に対して、１つの室外機を有する空気調和機であるとしてもよい。また、空気調和機１１０は、２つ以上の室外機を有する空気調和機であるとしてもよい。
【００８２】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００８３】
例えば、上述した空気調和システム１００の機能構成の一部又は全てをハードウェアとして制御装置１２０、室外機１１５等に実装してもよい。以上、本発明の好ましい実施形態について詳述したが、本発明は係る特定の実施形態に限定されるものではない。上述した各実施形態を任意に組み合わせてもよい。
【符号の説明】
【００８４】
１００  空気調和システム
１１０  空気調和機
１２０  制御装置
【図１】
2020128860.tif 000003
【図２】
2020128860.tif 000004
【図３】
2020128860.tif 000005
【図４】
2020128860.tif 000006